(57)【特許請求の範囲】
【請求項１】
合成樹脂製の内容器と、該内容器の少なくとも側部を覆う紙製の外容器とからなって該外容器の上部に前記内容器が係合されており、前記外容器に、外容器を破断して内容器を取り外せるようにした易破断線を設けた二重容器において、
易破断線が容器の高さ方向に対して左右対称に形成されると共に上下方向に延びており、易破断線の上方に延びる先端が、フランジ部近傍まで延びており、易破断線の下方に延びる先端が底壁部近傍まで延びており、
上記易破断線が、外容器の胴部で前記底壁部の形成位置より上方に配置されて指を挿入するための空間を形成するための円形又は略半円形状の切込み線からなる押込み片形成部と、該押込み片形成部と接し、外容器の上方または下方に延びる切断線を形成するための断続した切込み線からなって破断方向に沿って延びる帯状片を形成するためのジッパー線形成部とからなっており、
前記内容器の胴部と外容器の胴部との間は、外容器の押込み片形成部の対応する位置で内容器の胴部が窪んで空間を有し、該空間を除いて内容器の胴部と外容器の胴部とが接しており、
前記押込み片形成部を前記空間に押し込んで内容器の胴部の対応個所を内側に撓ませて、押込み片部を外容器の胴部から分離させた際に、該押込み片部が外容器の胴部と内容器の胴部の外壁面との間に指を差し込むための空間を形成しうることを特徴とした二重容器。
【請求項２】
内容器が胴部に小径に窪む段部を有しており、
押込み片形成部は前記内容器の段部に対応する個所に形成されており、
前記押込み片形成部を押し込んで内容器の胴部を内側に撓ませながら押込み片部を外容器の胴部から分離させた際に、該押込み片部が前記内容器の段部に掛け止められて外容器の胴部と内容器の胴部の外壁面との間に指を差し込むための空間を形成しうることを特徴とした請求項１に記載の二重容器。
【請求項３】
外容器が、上端部に丸く巻いたカール部を有して筒状に形成される胴部と、該胴部の下端の折り返し部分に逆向きの皿状からなる底壁部の周壁を嵌着してなり、
内容器が前記カール部の外側でカール状に巻き込まれて掛止められるフランジ部を有しており、
ジッパー線形成部が切り取られて形成される帯状片が前記カール部を変形させ、又は引きちぎってカール部に外嵌されている内容器のフランジ部をカール部から外して、外容器から内容器を分離しうることを特徴とする請求項１または２に記載の二重容器。
【請求項４】
易破断線は、ジッパー線形成部の左右一対のジッパー線を、切り取り方向に向かって漸次幅広に離間してなることを特徴とする請求項１から３のいずれかに記載の二重構造。
【発明の詳細な説明】
【技術分野】
【０００１】
この発明は、合成樹脂製の内容器と、該内容器の少なくとも側部を覆うように設けられた紙製の外容器とからなり、該外容器に外容器を破断して内容器を外せるようにした易破断線を設けた二重容器の改良に関する。
【背景技術】
【０００２】
従来、樹脂シートの圧空成型品の内容器と、角形紙器箱や紙製丸型・角型コップを外容器とする複合容器は接着剤や粘着剤、上部カール部の結合などにより合体されている。
そのため、内容器と外容器との分別には、外容器に施された切込みやミシン目などの易破断線からなるジッパー線を用いて外容器を破断して内容器を分離して行っている（例えば、実用新案登録第２５０９６５５号、実用新案登録第２５９３３７５号、特開２０００−２１９２８０号など）。
また、外容器の端部には切込みが穿設されて破断開封のスタート点となる押込み片部が形成されているものもある（特開平１１−２７８４５６）。
しかし、ブランク材に対するジッパー線のミシン目の打ち抜き精度と紙コップの成型精度によっては、開封のきっかけとなるスタート点の位置がずれて外容器の底端部に切り込みが形成されない場合がある。
そのために、位置決めするのに打ち抜きと成型精度が要求され、熟練を要する繁雑な作業となっていた。
【特許文献１】実用新案登録第２５０９６５５号  第１図参照
【特許文献２】実用新案登録第２５９３３７５号  第２図参照
【特許文献３】特開２０００−２１９２８０号  図１４参照
【特許文献４】特開平１１−２７８４５６号
【発明の開示】
【発明が解決しようとする課題】
【０００３】
この発明は上記実情に鑑みてなされたもので、その主たる課題は、易破断線の打ち抜き位置と紙コップの成型位置とが正確に位置合わせできず誤差が生じた場合にも確実に外容器を開封破断して、外容器と内容器とを分離して分別することができるようにした二重容器を提供することにある。
【課題を解決するための手段】
【０００４】
上記課題を解決するために、請求項１の発明では、
合成樹脂製の内容器と、該内容器の少なくとも側部を覆う紙製の外容器とからなって該外容器の上部に前記内容器が係合されており、前記外容器に、外容器を破断して内容器を取り外せるようにした易破断線を設けた二重容器において、
易破断線が容器の高さ方向に対して左右対称に形成されると共に上下方向に延びており、易破断線の上方に延びる先端が、フランジ部近傍まで延びており、易破断線の下方に延びる先端が底壁部近傍まで延びており、
上記易破断線が、外容器の胴部で前記底壁部の形成位置より上方に配置されて指を挿入するための空間を形成するための円形又は略半円形状の切込み線からなる押込み片形成部と、該押込み片形成部と接し、外容器の上方または下方に延びる切断線を形成するための断続した切込み線からなって破断方向に沿って延びる帯状片を形成するためのジッパー線形成部とからなっており、
前記内容器の胴部と外容器の胴部との間は、外容器の押込み片形成部の対応する位置で内容器の胴部が窪んで空間を有し、該空間を除いて内容器の胴部と外容器の胴部とが接しており、
前記押込み片形成部を前記空間に押し込んで内容器の胴部の対応個所を内側に撓ませて、押込み片部を外容器の胴部から分離させた際に、該押込み片部が外容器の胴部と内容器の胴部の外壁面との間に指を差し込むための空間を形成しうることを特徴とする。
請求項２の発明では、
前記内容器が胴部に小径に窪む段部を有しており、
押込み片形成部は前記内容器の段部に対応する個所に形成されており、
前記押込み片形成部を押し込んで内容器の胴部を内側に撓ませながら押込み片部を外容器の胴部から分離させた際に、該押込み片部が前記内容器の段部に掛け止められて外容器の胴部と内容器の胴部の外壁面との間に指を差し込むための空間を形成しうることを特徴とする。
また、請求項３の発明では、
前記外容器が、上端部に丸く巻いたカール部を有して筒状に形成される胴部と、該胴部の下端の折り返し部分に逆向きの皿状からなる底壁部の周壁を嵌着してなり、
内容器が前記カール部の外側でカール状に巻き込まれて掛止められるフランジ部を有しており、
ジッパー線形成部が切り取られて形成される帯状片が前記カール部を変形させ、又は引きちぎってカール部に外嵌されている内容器のフランジ部をカール部から外して、外容器から内容器を分離しうることを特徴とする。
請求項４の発明では、
前記易破断線は、ジッパー線形成部の左右一対のジッパー線を、切り取り方向に向かって漸次幅広に離間してなることを特徴とする。
【発明の効果】
【０００５】
この発明は上記のように、外容器のブランクに対するジッパー線のミシン目の打ち抜きがずれても、成型時のずれ許容範囲を大きく取ることができ、歩留まりの低減を図ることができる。
また、生産ラインでの稼働時に、コンベア上で外容器の脚体端部の開口部がめくれたりする虞れが無く、品質の安定を図ることができる。
【発明を実施するための最良の形態】
【０００６】
以下に、この発明の二重容器をカップ状容器に適用した場合の好適実施例について図面を参照しながら説明する。
【実施例１】
【０００７】
実施例１の二重容器１は、図１から図４に示すように、上端にカール状のフランジ部３を有する合成樹脂製の内容器２と、内容器２に外装される紙を主体とした外容器５とで構成されている。
内容器２は、適度な柔軟性や弾性を有する合成樹脂からなっており、収納物や用途に応じて、例えばＰＥ樹脂、ＰＰ樹脂、ＰＥＴ樹脂など適宜素材を選択することができる。
また、外容器５は板紙などの紙または紙を主成分とした素材からなっている。
【０００８】
［内容器］
内容器２は、有底のカップ形状からなっており、その上端に後述の外容器５のカール部６の外側に重ねられて、カール部６と共にカール状に巻き込まれてカール部６に掛止められるフランジ部３が形成されている。
図示例で上記フランジ部３の上面は、略水平面に形成することが好ましい。
また、内容器２の胴部２ａには、スタッキング用に下方位置でやや小径となる段部４を形成している。
【０００９】
［外容器］
外容器５は、上端部に外側に湾曲して巻き込むカール部６を有して筒状に形成される胴部７と、略逆向きの皿形状からなる底壁部８とで構成されている。
そして、前記胴部７は、その下端部で内側への折返した脚部９を設け、この脚部９の折返し部分と胴部７の内壁面との間に、底壁部８の環状の周壁８ａを上方から嵌合することにより、胴部７に底壁部８を取り付けた構成からなっている。
本実施例では、脚部９と底壁部８の周壁８ａとは接着せず、あるいは一部で接着して、後述の外容器５の破断時に底壁部８が胴部７から分離しやすいように成形している。
【００１０】
［押込み片形成部］
前記外容器５に形成される易破断線は、押込み片部１１を形成するための押込み片形成部１０と、押込み片部１１に一連に連なり左右一対のジッパー線を形成するための縦に延びる断続した切れ目またはミシン目からなるジッパー線形成部２０とからなっている。
本実施例の場合、押込み片形成部１０は、外容器５の胴部７で、底壁部８の上面に対応する脚部９の上端位置に押込み片部１１を形成するための切れ目からなっている。
【００１１】
ここで押込み片形成部１０は、下端が開放された上向きの略半円形状に沿った断続した切れ目からなっている。
これにより、図３（ａ）に示すように、押込み片形成部１０を内側に押すことで、下端は底壁部８の上方で胴部７に下端がつながり、上部が略半円形状となった押込み片部１１を押し抜き、内側に嵌合している内容器２の胴部２ａを内側に撓ませながら押込み片部１１を胴部７から分離させることができる。
【００１２】
［ジッパー線形成部］
ジッパー線形成部２０は、前記押込み片形成部１０とつらなって外容器５の上部、図示例ではカール部６の真下まで延びる帯状片を形成するために左右一対の縦に延びる直線又は波形のミシン目からなっている。
この一対のミシン目は、図示例の場合、上方に向かって漸次幅が広がるようにテーパー状に形成されている（図１参照）。
【００１３】
従って、図３（ａ）に示すように、前記押込み片形成部１０を押し込んで押込み片部１１を分離させる。
更に押し込むことで、押込み片部１１は、内容器２を撓ませながら下方の段部４に掛け止められて、外容器５の胴部７と内容器２の胴部２ａの外壁面との間に指を差し込むための空間Ｓを形成することができる。
【００１４】
そして、図３（ｂ）に示すように、押込み片部１１の切り離しにより形成された胴部７の空間Ｓに指を差し込み、左右一対のミシン目に沿ってジッパー線形成部２０を下から上に引き上げる。
【００１５】
これにより、図３（ｃ）に示すように、ジッパー線形成部２０の切れ目がつながって切り取られて帯状片２１が形成されていき、筒状の外容器５の胴部７が破断され、前記カール部６を変形させ、あるいは引きちぎってカール部６に外嵌し係止されている内容器２のフランジ部３をカール部６から外して、外容器５から内容器２を分離することができる。
【００１６】
また、図３（ｄ）に示すように、前記押込み片部１１を逆に外側に折り曲げて下方に引き下げれば、外容器５の脚部９を切り裂くことになり、底壁部８を胴部７から分離させ、内容器２を下から押し上げて分離することもできる。
【００１７】
底壁部８は、内容器２の底面と接着されていないので、内容器２は外容器５に対して分離する。
このようにして押込み片形成部１０とジッパー線形成部２０を利用して外容器５を破断し、外容器５と内容器２と分離することで、容易に分別して廃棄することができる（図４参照）。
【００１８】
ここで、外容器５の胴部７となるブランクを図５に示す。
略扇形状に形成される胴部７のブランクに対して、前記押込み片形成部１０とジッパー線形成部２０は、いずれもその切れ目が端縁とつながらないように中途位置に形成される。
【００１９】
そのため、前記ブランクに成形誤差が生じた場合でも、また前記押込み片形成部１０とジッパー線形成部２０とからなる易破断線の成形に位置ずれが生じた場合であっても、前記押込み片形成部１０を押し込んで押込み片部１１を形成し、そこをきっかけとしてジッパー線に沿って外容器５を切り離すことができ、成形に精度が要求されることがない。
【実施例２】
【００２０】
上記実施例１では、押込み片形成部１０を外容器５の胴部７の下方に設けた場合を例示したが、胴部７の上方に配置してもよい。
実施例２の二重容器１では、図６に示すように、押込み片形成部１０として、外容器５のカール部６側となる上方が開放された略半円形状の円弧からなるミシン目からなっている。
【００２１】
これにより、押込み片形成部１０を内側に押すことで、カール部６でつながり、下部が下向きの略半円形状となった押込み片部を打ち抜き、内側に嵌合している内容器２の胴部を内側に撓ませながら押込み片部を胴部７から分離させることができる。
ジッパー線形成部２０は、前記押込み片形成部１０とつらなって外容器５の下部、図示例ではほぼ底壁部８に対応する位置まで延びる帯状片を形成するための左右一対のミシン目からなっている。
【００２２】
従って、前記押込み片形成部１０を押し込んで押込み片部を形成し、これにより形成された胴部７の隙間から左右一対のミシン目に沿って上から下に引き下げることで、帯状片が切り取られていき、筒状の外容器５の胴部７が破断され、更に引き下げることで、外容器５の脚部９を切り裂くことになり、底壁部８を胴部７から分離させる。
【００２３】
また、前記押込み片部を上方に引き上げれば、外容器５のカール部６を変形ないし切り裂くことになり、内容器２のフランジ部８の周壁をカール部６から外して分離させることができる。
その他の構成は、前記実施例に準じるのでその説明を省略する。
【実施例３】
【００２４】
実施例３の二重容器１では、図７に示すように、押込み片形成部１０として、外容器５の胴部７の略中央に略半円形状の円弧からなるミシン目が形成されている。
図示例では、上記円弧は下部が開放した上向きの円弧形状からなっており、その円弧の両下端から一連に下向きに延びる左右一対のミシン目からなる第１ジッパー線形成部２０Ａが、外容器５の胴部７の下方で底壁部８に略対応する位置まで延びている。
【００２５】
また、前記押込み片形成部１０の円弧形状の上部には前記第１ジッパー線形成部２０Ａと略上下対称に対峙して一連に上向きに延びる左右一対のミシン目からなる第２ジッパー線形成部２０Ｂが形成されており、外容器５のカール部６の基端に略対応する位置まで延びている。
これにより、使用者は、押込み片形成部１０を内側に押し込んで胴部７から切り離して押込み片部を形成し、該押込み片部を持ってそのまま引き下げることで第１ジッパー線形成部２０Ａに沿って胴部７の下方を破断し胴部７と底壁部８を切り離すことができる。
【００２６】
また、前記押込み片部によって形成された隙間から、第２ジッパー線形成部２０Ｂの下端をつまんで上に引き上げることで同様に胴部７の上方を破断して、内容器２のフランジ部３をカール部６から外すことができる。
これにより、内容器２を外容器５から分離してそれぞれを分別廃棄することができる。
【００２７】
上記実施例では、押込み片形成部１０の下部を第１ジッパー線形成部２０Ａと一体に形成したが、押込み片形成部１０の円弧形状を逆向きに設けて、押込み片形成部１０の上部を第２ジッパー線形成部２０Ｂと一体に形成してもよい。
また、この発明では、押込み片部を形成するための押込み片形成部の形状は前記略半円形状に限定されるものではなく、円形であってもよいし、その他、使用者が指で摘むことができる片となればその輪郭形状は特に限定されるものではない。
また、ジッパー線形成部は、ジッパー線と通称する２列の縦の切れ目からなっていればよい。
【００２８】
図８および図９に示す参考例の二重容器１では、押込み片形成部１０として、外容器５の胴部７の略中央に円形状となるミシン目が形成されている。
そして、押込み片形成部１０の円形の左右両側から一連に左右それぞれの横方向に延びる第１ジッパー線形成部２０Ａ、および第２ジッパー線形成部２０Ｂが設けられている。
【００２９】
この第１ジッパー線形成部２０Ａ、および第２ジッパー線形成部２０Ｂは、それぞれ外方に向かって徐々に拡開する上下一対のテーパー状のミシン目からなっている。
そして、ミシン目の上部の延出端となるミシン目の先端Ａ１、Ｂ１は、ほぼフランジ部３の下端まで斜め上向きに延びており、またミシン目の下部の延出端となるミシン目の下部先端Ａ２、Ｂ２は、ほぼ底壁部８の相当位置まで斜め下向きに延びている。
【００３０】
これにより、使用者は、円形の押込み片形成部１０を内側に押し込んで胴部７から切り離して押込み片部または完全に切り離して円形の孔を形成し、該押込み片部または孔をきっかけにして第１ジッパー線形成部２０Ａおよび第２ジッパー線形成部２０Ｂに沿って胴部７を左右に破断していき胴部７の上方を破断して内容器２のフランジ部３をカール部６から外して内容器２を分離し、また胴部７と底壁部８を切り離してそれぞれを分別廃棄することができる。
【００３１】
この場合、第１ジッパー線形成部２０Ａおよび第２ジッパー線形成部２０Ｂは左右方向に裂いていくが、これによって切り裂かれる切断線は、押込み片部から前記ミシン目の上部の先端Ａ１およびＢ１まで上向きに延びるテーパー状の切断線と、下部の先端Ａ２およびＢ２まで下向きに延びるテーパー状の切断線となっている。
その他の構成は前記実施例と同様であるので、その説明を省略する。
【００３２】
別の参考例としての二重容器１では、図１０および図１１に示すように、押込み片形成部１０として、外容器５の胴部７の下方寄りに直線状ないし略横倒コ字状のミシン目が形成されている。
そして、押込み片形成部１０の左右両側から真上に向かって略垂直に延びる左右一対のミシン目からなるジッパー線形成部２０が設けられている。
ここで、押込み片形成部１０は、ほぼ底壁部８の相当位置に形成されており、ジッパー線形成部２０の上端はほぼフランジ部３の下端まで延びている。
【００３３】
これにより、使用者は、上記押込み片形成部１０を内側に押し込んで胴部７から切り離して押込み片部を形成し、該押込み片部をきっかけにしてジッパー線形成部２０に沿って胴部７を上に破断していき内容器２のフランジ部３をカール部６から外して内容器２を分離し、また胴部７と底壁部８を切り離してそれぞれを分別廃棄することができる。
その他の構成は前記実施例と同様であるので、その説明を省略する。
【００３４】
上記参考例では、ジッパー線形成部２０や押込み片形成部１０の下端が脚部９にかからないように配置された場合を例示したが、これらは脚部９まで延びていてもよい。
図１２には、図１０の押込み片形成部１０が、脚部９の一部まで延びている場合の参考例を図示する。
この場合も、押込み片形成部１０をきっかけとしてジッパー線形成部２０に沿って胴部７を切り裂くことができる。
【００３５】
また、、ジッパー線形成部２０や押込み片形成部１０の上端は、カール部６やフランジ部３に接する位置まで延びていてもよいし、そこまで延びていなくてもよい。
この発明では、正確な位置決めをしなくても、押込み片形成部やジッパー線形成部を設けることができ、その機能を果たせばよい。  
【００３６】
また、前記各実施例では、外容器は、底壁部を有する形態としたが、この発明では底壁部を設けずにスリーブ状の胴部だけからなるものでもよい。
また、外容器のカール部に内容器のフランジ部を外嵌して一体的に係止したが外容器にはカール部を設けず、内容器にフランジ部だけを設けた構造であってもよい。
その他、要するにこの発明の要旨を変更しない範囲で種々設計変更しうること勿論である。
【図面の簡単な説明】
【００３７】
【図１】実施例１の二重容器の斜視図である。
【図２】図１の二重容器の断面図である。
【図３】破断の過程を示す図で（ａ）は押込み片形成部を押し込んで押込み片部を形成した状態の断面図、（ｂ）はジッパー線形成部を引き上げて帯状片を形成した状態の断面図、（ｃ）はカール部からフランジ部を外す状態の断面図、（ｄ）は押込み片部を引き下げて底壁部を切り離す状態の断面図である。
【図４】内容器を外容器から分離した状態の斜視図である。
【図５】図１の外容器の胴部のブランクを示す展開図である。
【図６】実施例２の二重容器の斜視図である。
【図７】実施例３の二重容器の斜視図である。
【図８】参考例の二重容器の斜視図である。
【図９】図９の外容器の胴部のブランクを示す展開図である。
【図１０】別の参考例の二重容器の斜視図である。
【図１１】図１０の外容器の胴部のブランクを示す展開図である。
【図１２】（ａ）は、押込み片形成部が脚部まで延びた場合の二重容器の斜視図、（ｂ）は押込み片部を引き上げて胴部を切り離す状態の外容器の斜視図である。
【符号の説明】
【００３８】
１    二重容器
２    内容器
３    フランジ部
５    外容器
６    カール部
７    胴部
８    底壁部
８ａ  周壁
９    脚部
１０    押込み片形成部
１１    押込み片部
２０    ジッパー線形成部
２０Ａ  第１ジッパー線形成部
２０Ｂ  第２ジッパー線形成部
２１    帯状片
【図１】
0004535454.tif 000002
【図２】
0004535454.tif 000003
【図３】
0004535454.tif 000004
【図４】
0004535454.tif 000005
【図５】
0004535454.tif 000006
【図６】
0004535454.tif 000007
【図７】
0004535454.tif 000008
【図８】
0004535454.tif 000009
【図９】
0004535454.tif 000010
【図１０】
0004535454.tif 000011
【図１１】
0004535454.tif 000012
【図１２】
0004535454.tif 000013